(57)【要約】【課題】永久的な録画続行を防止し、かつ、録画内容を所定容量分（所定時間分）は確実に録画保証できるようにする。【解決手段】一時保存録画領域を予め所定容量記録媒体に確保する(Sa1)。一時中断による一時保存録画操作があったときは、一時保存録画領域の先頭から順次録画を行い、一時保存録画領域が満たされたならば、先頭から上書き録画を行うようにする(Sa3)。そして、録画停止時間は、録画開始から一定時間に設定する(Sa4)。【選択図】      図２２
2006295821.tif 000002
【特許請求の範囲】
【請求項１】
動作を統括する制御部と、前記制御部の制御に基づいて、放送信号を受信する受信部と、前記受信信号を復調及び信号処理し表示用信号に変換する復調及び信号処理部とを有し操作入力に応じて前記表示用信号を記録媒体に蓄積する放送受信装置において、
予め前記記録媒体に一時保存録画領域を確保する手段と、
一時保存録画操作があったときは、前記一時保存録画領域の先頭から順次録画を行い、前記一時保存録画領域が満たされたならば、この領域の先頭から上書き録画を行う録画手段と、
前記一時保存録画操作による録画開始から一定時間が経過したときは、一時保存録画動作を自動的に停止する手段と、
を具備した放送受信装置。
【請求項２】
動作を統括する制御部と、前記制御部の制御に基づいて、放送信号を受信する受信部と、前記受信信号を復調及び信号処理し表示用信号に変換する復調及び信号処理部とを有し操作入力に応じて前記表示用信号を記録媒体に蓄積する放送受信装置において、
一時保存録画領域を予め所定容量記録媒体に確保する手段と、
一時保存録画操作があったときは、前記一時保存録画領域の先頭から順次録画を行い、前記一時保存録画領域が満たされたならば、この領域の先頭から上書き録画を行う手段と、
電源オフ操作入力があったときに、一時保存録画動作状態か、予約番組録画動作状態かを判別し、前記判別の結果が、一時保存録画動作状態のときは電源をオフし、予約番組録画動作状態のときは、電源オンを維持する手段と
を具備した放送受信装置。
【請求項３】
動作を統括する制御部を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信方法において、
予め前記記録媒体に一時保存録画領域を確保し、
一時保存録画操作があったときは、前記一時保存録画領域の先頭から順次録画を行い、
前記一時保存録画領域が満たされたならば、この領域の先頭から上書き録画を行い、
前記一時保存録画操作による録画開始から一定時間が経過したときは、一時保存録画動作を自動的に停止する
ようにした放送受信方法。
【請求項４】
動作を統括する制御部を有し、この制御部の制御に基づいて、受信部で放送信号を受信し、復調及び信号処理部で、前記受信信号を復調及び信号処理し表示用信号に変換し、操作入力に応じて前記表示用信号を記録媒体に蓄積する放送受信方法において、
一時保存録画領域を予め所定容量記録媒体に確保し、
一時保存録画操作があったときは、前記一時保存録画領域の先頭から順次録画を行い、
前記一時保存録画領域が満たされたならば、この領域の先頭から上書き録画を行い、
電源オフ操作入力があったときに、一時保存録画動作状態か、予約番組録画動作状態かを判別し、
前記判別の結果が、一時保存録画動作状態のときは電源をオフし、予約番組録画動作状態のときは、電源オンを維持する
ようにした放送受信方法。
【請求項５】
前記一時保存録画操作があったときは、
画面上では、背景には動画が維持され、一時保存録画の準備開始、準備中、録画開始、録画中の段階を示すコメントが表示されるようにした
請求項３又は４のいずれかに記載の放送受信装置。
【請求項６】
前記一時保存録画動作状態において、
再生操作があったときは、録画済み部分の追っかけ再生を開始し、早送り或いはスキップ再生により、再生位置が記録位置に追いついた場合には、再生画面を放送番組の画面に切換えるようにした請求項３又は４記載の放送受信方法。
【請求項７】
前記一時保存録画動作状態において、
再生操作があったときは、動画の画面を次第にカラーからモノクロに移行させて、一度画像消去したあとに、録画済み部分の追っかけ再生を開始するようにした
請求項３又は４のいずれかに記載の放送受信方法。
【請求項８】
前記一時保存録画動作状態において、
再生操作があったときは、再生位置の時刻情報と記録位置と再生位置の時間差情報が画面上表示されるようにした
請求項３又は４のいずれかに記載の放送受信方法。
【発明の詳細な説明】
【技術分野】
【０００１】
この発明は、放送受信装置及び放送受信方法に関するもので、特に一時記録機能を改良したものである。
【背景技術】
【０００２】
近年、記録媒体としてのハードディスク、光ディスクなどの情報記録媒体は、その記憶容量が増大している。このために、これらの情報記録媒体を利用した記録再生装置を例えばテレビジョン受信機に接続し、所望の番組を記録媒体に自動録画する方法及び装置がある。
【０００３】
通常は、自動録画機能及び自動録画再生装置を実現するためには、電子番組案内（ＥＰＧ）情報を用いて番組録画予約情報が作成される。また、所望のジャンルを指定すると、自動的に電子番組案内情報から当該ジャンルに相当すると思われる番組をサーチして、録画予約情報を自動的に設定する装置も考えられている。
【０００４】
また、自動録画再生装置には、番組の視聴中にその場所を離れなければならなくなったとき録画ボタンを押すと、後で視聴できるように番組を録画する一時保存機能がある（例えば特開２００２−１９１００５号公報）。
【特許文献１】特開２００２−１９１００５号公報
【発明の開示】
【発明が解決しようとする課題】
【０００５】
一時保存機能は、視聴を中断してその場所を離れるときに、録画操作を行うことにより動作を開始する。しかし、録画操作を解除しないかぎり、永久に動作することがあり、蓄積装置の寿命を短くする問題がある。従来は、一時保存録画操作を行ったときの番組の終了時間を電子番組表から取得して、終了時間になったら自動的に録画を停止する方法が考えられている。
【０００６】
しかしながら、この方法であると、中座するタイミング（一時保存録画操作を行うタイミング）によっては、問題が生じることがある。例えば、視聴者は番組Ｂを見たいものとする。また、番組Ａ，Ｂが続いて放送されるものとする。そして、番組Ａの放送中に視聴者が待機しているものとする、ここで番組Ａが終了する前に一時保存録画操作する必要が生じると、次の番組Ｂを録画できない場合がある。これは、番組Ａの終了時間を電子番組表から取得し、終了時間になったら自動的に録画を停止するからである。
【０００７】
そこでこの発明に係る目的は、永久的な録画続行を防止し、かつ、録画内容を所定容量分（所定時間分）は確実に録画保証できるようにした放送受信装置及び放送受信方法を提供することにある。
【課題を解決するための手段】
【０００８】
この発明の一実施の形態では、一時保存録画領域を予め所定容量記録媒体に確保する。一時中断による一時保存録画操作があったときは、一時保存録画領域の先頭から順次録画を行い、一時保存録画領域が満たされたならば、先頭から上書き録画を行うようにする。そして、録画停止時間は、録画開始から一定時間に設定する。
【発明の効果】
【０００９】
これにより、永久的な録画続行を防止し、かつ、録画内容を所定容量分（所定時間分）は確実に録画保証できることになる。
【発明を実施するための最良の形態】
【００１０】
以下、図面を参照しながらこの発明の実施の形態を説明する。まずこの発明が適用された放送受信装置について概要を説明する。
【００１１】
図１は、この実施の形態で説明するデジタルテレビジョン放送受信装置１１の外観と、このデジタルテレビジョン放送受信装置１１を中心として構成されるネットワークシステムの一例を概略的に示している。
【００１２】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link（登録商標）端子２４を備えている。
【００１６】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
ここでｉ．Link（登録商標）端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２４】
図２には、上記のデジタルテレビジョン受信装置１１の概観を示している。ＡＶ−ＨＤＤ４１は、支持台１３内に内蔵されている。
【００２５】
図３は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
チューナ４５で選局された放送信号は、ＰＳＫ（Phase Shift Keying）復調器４６に供給されて、デジタルの映像信号及び音声信号に復調された後、信号処理部４７に出力される。
【００２７】
また地上波アナログ信号を受信するアナログチューナ６８も設けられている。アナログチューナ６８で受信された信号は、アナログ復調器６９で復調され信号処理部４７に出力される。
【００２８】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２９】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３０】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３１】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３２】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３３】
上記音声処理部５３は、入力されたデジタルの音声信号を、スピーカ１５で再生可能なフォーマットのアナログ音声信号に変換し、スピーカ１５に出力して音声再生させる。
【００３４】
ここで、このデジタルテレビジョン放送受信装置１１は、上記した各種の受信動作を含むその全ての動作を制御部５６によって統括的に制御されている。
【００３５】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００３６】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３７】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３８】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３９】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４１】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４２】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００４３】
制御部５６は、録画番組を予め予約して記録媒体に記録するための予約番組録画制御部５６ａと、後述するように一時保存録画制御部５６ｂ（ループ録画制御部と称してもよい）によって実行される「ちょっとタイム録画機能」を有する。予約番組録画制御部５６ａも、一時保存録画制御部５６ｂもタイマーを参照する。この部分の詳細については、あとでさらに説明する。
【００４４】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４５】
またちょっとタイムキー１７ｑ、スキップキー１７ｒも設けられている。このキーの使用方法については、後述する。
【００４６】
図５は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図６に示すような番組表を映像表示器１４に表示させる。
【００４７】
ユーザは、ステップＳ３で、表示された番組表に基づいて所望の番組の録画予約を実行する。この録画予約では、記録すべき番組を番組表から選択するとともに、その番組を記録させるデジタル記録機器を選択設定することも行なわれる。
【００４８】
そして、制御部５６は、ステップＳ４で、録画予約した設定時間に達した場合、予約された番組を予約されたデジタル記録機器に記録するように、記録動作を実行する。
【００４９】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００５０】
また、ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００５１】
以上の記録動作により、ユーザは、デジタルテレビジョン放送受信装置１１の各端子２１〜２４に接続されている複数のデジタル記録機器を任意に選択して、番組を記録させていくことが可能になる。
【００５２】
図７から図２０は、この装置の特徴部を説明するための画面が変化していく例を示している。この装置では、ちょっとタイム録画機能があり、この機能が働くときは、記録媒体として例えばハードディスクドライブ２５が利用され、所定の使用容量、又は一定の記録時間分（例えば６時間）の容量が確保される。
【００５３】
図７は、ユーザが一時中座するために、リモートコントローラ１７のちょっとタイムキー１７ｇを押したときに現れる画面の例である。この画面では、オンエアーの動画が維持されるが、「ちょっとタイム」というコメントが現れる（約６秒程度）（画面中央参照）。
【００５４】
次に画面は、図８に示す状態に移行する。ここでは、オンエアーの動画が維持された状態であり、この画面では、「ちょっとタイム準備中」というコメントが現れる（画面の右下参照）。
【００５５】
次に画面は、図９に示す状態に移行する。ここでは、「ちょっとタイム録画開始」というコメントが現れる（画面の右下参照）。視聴者は、「ちょっとタイム録画開始」というコメントを見たとき、ちょっとタイム録画が開始されたことを認識することができる。
【００５６】
この状態から画面は、図１０に示す状態に移行する。ここでは、「ちょっとタイム録画中  ちょっとタイムで時間をもどす」というコメントが現れる（画面右下参照）。この画面に移行したときは、記録媒体にある程度の容量の録画情報が蓄積されたことを意味し、そして追っかけ再生が可能となったことを意味する。
【００５７】
図１１の画面は、一時保存録画が続行されていることを示す画面である。このときは、「録画中」というコメントが現れる（画面右下参照）。これは視聴者が、装置がある場所に戻ってきたときに、ちょっとタイム録画が実行されているのか否かを確認しやすくなっている。
【００５８】
図１２は、ユーザが受信装置のある場所に戻ってきて、ちょっとタイムキー１７ｑを押したときに現れる画面の例を示している。このときは、録画は相変わらず続行しながら、一時保存録画を開始したポジションに、再生開始位置を戻す準備を開始する。つまり、追っかけ再生の準備に移行する。このときは、画面に「ちょっとお待ちください」というコメントが現れるとともに、時計の針をモデルとしたイラストが現れる（画面の中央参照）。そして時計の針は、左回転し、時間が戻っているような印象を視聴者に与えるようにしている。
【００５９】
図１３は、図１２に示した状態で時間が経過し、カラー画像がモノクロ画像に変化した様子を示す、さらにこのときは、次第に音声も小さくなりミュート状態になる。
【００６０】
図１４は、図１３の状態がさらに進み、画面が真っ暗になった様子を示している。このような表示演出を行うことにより、視聴者はちょっとタイム録画した内容が再生開始されることを画面上で容易に認識しやすくなる。
【００６１】
図１５は、ちょっとタイム録画した映像が追っかけ再生状態になった様子を示している。なお追っかけ再生とは、リアルタイムで放送されている映像を録画するとともに、既に録画している内容を再生することを言う。この追っかけ再生の画面では、再生画面の時刻（図の例では６時２３分５２秒）と、リアルタイムとの差の時間（図の例では３分２２秒遅れ）が表示される（図の右下参照）。これにより、視聴者は、オンエアーの画像と、追っかけ再生画像との時間差を認識することができる。追っかけ再生画面に移行するためには、再度ちょっとタイムスキップキー１７ｑを押すか、あるいは、特定のキーを決めていてもよい。
【００６２】
図１５の状態で、ちょっとタイムスキップキー１７ｒを操作すると、再生位置をスキップさせることもできる。例えば、コマーシャルなどの映像、あるは、視聴者が興味ない映像のシーンでは、キー１７ｒを操作してスキップさせることもできる。ちょっとタイムスキップキー１７ｒの操作により、オンエアーの画面に追いついた場合、一時保存録画処理（ループ録画処理）を終了する。
【００６３】
図１６は、操作パネルを画面上に表示した例である（画面の右下参照）。これはリモートコントローラ１７において、例えば特定のキー（例えば上記のちょっとタイムスキップキー１７ｒを）を操作した際、または、チャンネル選択キーに触れた際に表示される。これにより、操作パネル上の機能マークをカーソルにより選択し、決定キーを押すと、ポーズ、早送り、逆送り再生などを実行させることができる。
【００６４】
図１７は、一時保存録画した内容を追っかけ再生しているときの画面である。このときは、追っかけ再生が行われている様子が分かるように、時計のマークとともに「再生中」というコメントが表示される（画面の右下参照）。
【００６５】
図１８は、一時保存録画した内容を追っかけ再生しているときの、他の画面の例である。この例では、追っかけ再生しているときに、チャンネル選択をした例を示している。チャンネル選択をすると、選択した放送の種類及びチャンネルが表示されるとともにその画面が表示される。しかし、ちょっとタイム録画の追っかけ再生を行っていることも視聴者にわかるようにコメントで示される（画面の右上参照）。また画面の左下には、現在の放送番組名及び放送時間帯の情報が表示されてもよい。
【００６６】
さらに図１９は、ちょっとタイム録画した映像を追っかけ再生しているときに、オンエアーの別チャンネルが気になる場合に、利用されるさらに他の画面の例である。追っかけ再生中に、選局操作を行うと、選局した放送チャンネルの再生画面に切換わることができる。このときは、ちょっとタイム録画、つまり一時保存動作が実行されていることを分かりやすくするために、コメントとして「ちょっとタイム中」が表示され、また、どの記録媒体に一時保存処理がなされているかが示される。図の例では、内蔵ＨＤＤに、ちょっとタイム録画設定した映像が一時保存されていることを示している。また、ちょっとタイム録画を設定した放送の種類及びチャンネルは、例えば、ＢＳ  １８１であることが示されている。
【００６７】
したがって、本装置は、ちょっとタイム録画した番組を追っかけ再生している最中であっても、チャンネル選択により、オンエアー放送を視聴することも可能である。
【００６８】
図２０は、ちょっとタイム録画が開始された直後に、ちょっとタイム録画している放送及びチャンネルとは別のチャンネルの画面を確認したいような場合に利用される画面である。この画面は、ちょっとタイムキー１７ｑを押した後に選局チャンネルを操作することで得ることができる。この場合は、ちょっとタイム録画が開始されたすぐ後であるために、追っかけ再生に関する遅れ時間は表示されない。選局した画面と、その放送の種類及びチャンネルが表示される（図の例では地上波デジタル放送の０１１チャンネルであることが表示されている。しかし一方では、ちょっとタイム録画がスタートしていることを分からせるために、ちょっとタイム録画を設定した放送の種類及びチャンネルは、例えば、ＢＳ  １８１であることが示されている。
【００６９】
図２１には、本発明に係る特徴的な部分を取り出して示している。制御部５６においては、録画を実現する大きな録画制御部として、予約番組録画制御部５６ａと、一時保存録画制御部５６ｂがある。予約番組録画制御部５６ａは、図６に示したような電子番組表を用いて作成された録画予約情報が参照されて、予約番組の自動録画を実現するための制御部である。一方、一時保存録画制御部５６ｂは、ちょっとタイムキー１７ｑが操作されることにより、オンエアー番組の一時保存録画を実現するための制御部である。
【００７０】
一時保存録画制御部５６ｂは、さらにその機能ブロックを分類すると、映像出力制御部５６ｂ１がある。この映像出力制御部５６ｂ１は、図７から図２０の画面を参照して説明したように、装置の操作状態及び動作状況に応じて、ユーザが現在の動作状態を認識しやすいように画面の内容をコントロールするものである。録画動作制御部５６ｂ２は、ちょっとタイムキー１７ｑが操作されたときに、一時保存録画を実現するための制御部である。さらに、再生動作制御部５６ｂ３は、一時保存録画されたコンテンツを再生する場合、追っかけ再生、或いは早送り再生、或いはスキップ再生を実現するための制御部である。
【００７１】
制御部５６には、操作入力判別部５６ｄが設けられている。この操作入力判別部５６ｄからの判別結果に応じて、一時保存録画制御部５６ｂの動作が決定されることは当然である。さらにこの制御部５６には、電源オフ時の対応処理部５６ｃが設けられている。この対応処理部５６ｃの動作については、後で詳しく説明する。
【００７２】
図２２は、一時保存録画制御部５６ｂの制御の元で実行される動作及び機能をフローチャートとして示している。一時保存録画領域が確保される（ステップＳａ１）。この一時保存録画領域は、例えばＡＶ−ＨＤＤ４１に確保される。一時保存領域を確保する時期は、ちょっとタイムキー１７を押したときでもよいし、それ以前に確保されていてもよい（ステップＳａ1）。次に、一時保存録画操作入力があったかどうかの判定を行い（ステップＳａ2）、一時保存録画操作があったときは、一時保存録画動作に移行する（ステップＳａ３）。ここでは、一時保存録画領域の先頭から順次録画を行い、一時保存録画領域が満たされたならば、先頭から上書き録画を行うようにする。つまりループ録画が実行される。一時保存録画中において、所定時間経過したかどうか、又は電源オフされたどうかの判定を行う（ステップＳａ４）。所定時間経過した場合、或いは電源オフがあった場合には、位置保存録画の停止処理を行う（ステップＳａ５）。
【００７３】
図２３は、電源オフ時の対応処理部５６ｃの動作を説明するために示したフローチャートである。電源オフ操作があったかどうかを判断する（ステップＳ１１，Ｓ１２）。電源オフ操作があった場合には、現在録画中であるか否かを判断する（ステップＳ１３）。録画中でない場合は、電源をオフ（ステップＳ１４）して終了する。
【００７４】
録画動作中である場合には、一時保存録画中（ちょっとタイム録画中）であるかどうかを判断する（ステップＳ１５）。一時保存録画動作中であれば、一時保存録画動作の目的は達成されたものとして、操作入力にしたがって、電源をオフする。しかし、一時保存録画動作中でない場合は、予約番組の録画中であるかどうかを判断する（ステップＳ１６）。予約番組の録画中でない場合は、電源をオフするが、予約番組の録画中である場合には、電源オフ命令を解除し、電源オンを維持して（ステップＳ１７）、終了する。
【００７５】
上記したように、この装置は、予め前記記録媒体に一時保存録画領域を確保することができる。そして、一時保存録画操作があったときは、前記一時保存録画領域の先頭から順次録画を行い、前記一時保存録画領域が満たされたならば、この領域の先頭から上書き録画を行う。つまりループ録画処理を行う。そして、一時保存録画操作による録画開始から一定時間が経過したときは、一時保存録画動作を自動的に停止する。これにより、ループ録画操作の解除を忘れたとしても、永久的な録画続行を防止し、記録媒体の急激な劣化を抑制できる。またかつ、録画内容を所定容量分（所定時間分）は確実に録画保証できる。
【００７６】
また電源オフ操作入力があったときに、一時保存録画動作状態か、予約番組録画動作状態かを判別し、その判別結果が、一時保存録画動作状態のときは電源をオフし、予約番組録画動作状態のときは、電源オンを維持することができる。これにより、予約番組の録画ミスを防ぐことができる。
【００７７】
さらにまた一時保存録画操作があったときは、図７−図２０で説明したように画面上では、背景には動画が維持され、一時保存録画の準備開始、準備中、録画開始、録画中の段階を示すコメントが表示される。これによりユーザは、一時保存録画が実行されていることを画面上のコメントで確認することができる。この画面は、ユーザの操作に対する応答であるから、ユーザの安心感が得られる。
【００７８】
また、一時保存録画動作状態において、再生操作があったときは、録画済み部分の追っかけ再生を開始する。そして、早送り或いはスキップ再生により、再生位置が記録位置に追いついた場合には、再生画面を放送番組の画面に切換える。
【００７９】
また一時保存録画動作状態において、再生操作があったときは、動画の画面を次第にカラーからモノクロに移行させて、一度画像消去したあとに、録画済み部分の追っかけ再生を開始する。これにより、ユーザは、装置が追っかけ再生に移行したことを容易に認識することができる。
【００８０】
また一時保存録画動作状態において、再生操作があったときは、再生位置の時刻情報と記録位置と再生位置の時間差情報が画面上表示される。このために、ユーザは、時間差情報に基づき、装置が追っかけ再生の状況を認識し、早送り再生あるいはスキップ再生に行うかどうかの判断材料とすることができる。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８２】
【図１】この発明が適用されたデジタルテレビジョン放送受信システムの概要を説明するために示した図である。
【図２】図１のデジタルテレビジョン放送受信装置の概観を示す図である。
【図３】図１のデジタルテレビジョン放送受信装置の内部をさらに具体的に示す構成説明図である。
【図４】この発明の装置で使用されるリモートコントローラの概略を説明するために示した説明図である。
【図５】図１の装置がＥＰＧ情報に基づいて番組を記録する際の動作を説明するために示したフローチャートである。
【図６】図１の装置において映像表示器に番組情報が表示された際の例を示す説明図である。
【図７】この発明に係る装置においてちょっとタイム録画機能部が動作した際の画面の例を示す説明図である。
【図８】この発明に係る装置においてちょっとタイム録画機能部が動作した初期の段階の画面の例を示す説明図である。
【図９】この発明に係る装置においてちょっとタイム録画機能部が動作し、録画開始した後で、追っかけ再生が可能となる前の画面の例を示す説明図である。
【図１０】この発明に係る装置においてちょっとタイム録画機能部が動作し、録画開始した後で、追っかけ再生が可能となったときの画面の例を示す説明図である。
【図１１】この発明に係る装置においてちょっとタイム録画機能部が動作し、追っかけ再生が可能となり、録画中の画面の例を示す説明図である。
【図１２】ユーザが受信装置のある場所に戻ってきて、再生操作を行い、追っかけ再生の準備に移行するときの初期の画面の例を示す説明図である。
【図１３】追っかけ再生の準備に移行するときカラー画像がモノクロ画像に変化した様子を示す説明図である。
【図１４】図１３の状態がさらに進み、画面が真っ暗になった様子を示す説明図である。
【図１５】ちょっとタイム録画した映像が追っかけ再生状態になった様子を示す説明図である。
【図１６】追っかけ再生中に、操作パネルを画面上に表示した例を示す説明図である。
【図１７】一時保存録画した内容を追っかけ再生しているときの画面の例を示す説明図である。
【図１８】一時保存録画した内容を追っかけ再生しているときの、他の画面の例を示す説明図である。
【図１９】ちょっとタイム録画した映像を追っかけ再生しているときの、さらに他の画面の例を示す説明図である。
【図２０】ちょっとタイム録画が開始された直後に、ちょっとタイム録画している放送及びチャンネルとは別のチャンネルの画面を確認したいような場合に利用される画面の例を示す説明図である。
【図２１】本発明の特徴的な部分を取り出して示す構成説明図である。
【図２２】本発明の特徴的な部分の動作を説明するために示したフローチャートである。
【図２３】本発明の電源オフ時の対応処理部５６ｃの動作を説明するために示したフローチャートである。
【符号の説明】
【００８３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ。
【図１】
2006295821.tif 000003
【図２】
2006295821.tif 000004
【図３】
2006295821.tif 000005
【図４】
2006295821.tif 000006
【図５】
2006295821.tif 000007
【図６】
2006295821.tif 000008
【図７】
2006295821.tif 000009
【図８】
2006295821.tif 000010
【図９】
2006295821.tif 000011
【図１０】
2006295821.tif 000012
【図１１】
2006295821.tif 000013
【図１２】
2006295821.tif 000014
【図１３】
2006295821.tif 000015
【図１４】
2006295821.tif 000016
【図１５】
2006295821.tif 000017
【図１６】
2006295821.tif 000018
【図１７】
2006295821.tif 000019
【図１８】
2006295821.tif 000020
【図１９】
2006295821.tif 000021
【図２０】
2006295821.tif 000022
【図２１】
2006295821.tif 000023
【図２２】
2006295821.tif 000024
【図２３】
2006295821.tif 000025